(57)【要約】【課題】  点光源を用いながらも、薄型で狭額縁化が可能で、かつ、発光面の明るさの均一化も可能なバックライト装置を提供する。【解決手段】  このバックライト装置は、複数個の点光源１をアレイ状に設置した基板２ａ，２ｂの２体を、平板状の導光板３の１端面の光入光面３Ａ側において当該導光板３の表裏の端縁近傍にそれぞれに設置し、これら２体の基板それぞれの点光源を光入光面に対してそれからの光が入光する姿勢にしたものである。【選択図】      図１
2007080564.tif 000002
【特許請求の範囲】
【請求項１】
複数個の点光源をアレイ状に設置した基板の２体を、平板状の導光板の１端面の光入光面側において当該導光板の表裏の端縁近傍にそれぞれに設置し、
前記２体の基板それぞれの点光源を前記光入光面に対してそれからの光が入光する姿勢にしたことを特徴とするバックライト装置。
【請求項２】
前記２体の基板それぞれに設置されたそれぞれ複数個の点光源を、前記２体の基板うちの一方の基板における隣接する点光源間の中央に、他方の基板の点光源の中心部が位置する配置にしたことを特徴とする請求項１に記載のバックライト装置。
【請求項３】
前記点光源は、長軸形のＬＥＤであり、その長軸方向に配列方向に一致させるようにして前記基板に実装したことを特徴とする請求項１又は２に記載のバックライト装置。
【発明の詳細な説明】
【技術分野】
【０００１】
本発明は、液晶ディスプレイ用のバックライト装置に関する。
【背景技術】
【０００２】
従来、１５インチ程度以下の中・小型サイズの液晶ディスプレイ用のバックライト装置は、光源としてＣＣＦＬを用いた導光板方式が一般的である。しかしながら、最近では、光源をＣＣＦＬの代わりにＬＥＤを用いたバックライト装置が採用され始めている。そのようなバックライト装置では、光源としてＬＥＤを使用することにより薄型化が可能となるが、バックライト装置として必要な輝度を得るためには、ＬＥＤを多数個使用する必要があり、一般的には基板にアレイ状に配置して、導光板の一方の端面の光入光面に対向するように配置している。
【０００３】
ところが、近年、液晶の高精彩化や色再現性の向上の要求から、バックライト装置に対する要求輝度は増加傾向にある。バックライト装置の輝度を高くするためには、ＬＥＤの個数を増やす必要があるが、個数が増えると、導光板の一端面のみから入光させることが困難になる。しかしながら、導光板の複数の端面から入光させるとなると、装置筐体の額縁が大きくなる。
【０００４】
近年、液晶の高精彩化や、色再現性の向上のためにバックライト装置に対する性能要求として、明るさのアップと発光面の明るさの均一性の向上が強く求められるようになってきている。これらの要求を満たす方法としてＬＥＤを実装ピッチを狭くしてできる限り数多く実装し、さらに、明るくするために、ＬＥＤに大電流を流すことで一時的には明るさのアップと発光面の均一性の向上が図れる。しかしこの方法で、ＬＥＤを直列接続すると、ＬＥＤを実装する基板の幅はＬＥＤが直列接続ゆえに非常に幅狭にできるが、ＬＥＤの数量に比例して高い電圧を印加しないと充分な発光が得られない、また、直列接続では、ＬＥＤチップの性能のバラツキが明るさに影響しやすい、などの弊害が生じてしまう問題点があった。
【０００５】
また、直列接続方式での問題点（高電圧）を回避するためにＬＥＤを並列接続する方式にすると、並列接続ゆえに大電流を流すためのパターン幅＋ＬＥＤ＋並列接続の配線数分だけ基板幅が必要になり、この基板の幅が大になることでバックライト装置の狭額縁化が実現できなくなる。
【０００６】
そこで個々のＬＥＤの光量を調整しやすい並列方式で狭額縁を実現させようとすると、ＬＥＤの実装数をへらしてＬＥＤの間隔を広げ、狭くした基板幅の中に配線パターンを構成することになってしまう。しかしながら、ＬＥＤの実装間隔を広げると発光面の均一性が確保できなくなり、当初の要求明るさの向上と発光面の均一性の改善を同時に達成することができなくなる。
【発明の開示】
【発明が解決しようとする課題】
【０００７】
本発明は、上述した従来の技術的課題に鑑みてなされたもので、点光源を用いながらも、薄型で狭額縁化が可能で、かつ、発光面の明るさの均一化も可能なバックライト装置を提供することを目的とする。
【課題を解決するための手段】
【０００８】
請求項１の発明のバックライト装置は、複数個の点光源をアレイ状に設置した基板の２体を、平板状の導光板の端面の光入光面側において当該導光板の表裏の端縁近傍にそれぞれに設置し、前記２体の基板それぞれの点光源を前記光入光面に対してそれからの光が入光する姿勢にしたことを特徴とするものである。
【０００９】
請求項２の発明は、請求項１のバックライト装置において、前記２体の基板それぞれに設置されたそれぞれ複数個の点光源を、前記２体の基板うちの一方の基板における隣接する点光源間の中央に、他方の基板の点光源の中心部が位置する配置にしたことを特徴とするものである。
【００１０】
請求項３の発明は、請求項１又は２のバックライト装置において、前記点光源は、長軸形のＬＥＤであり、その長軸方向に配列方向に一致させるようにして前記基板に実装したことを特徴とするものである。
【発明の効果】
【００１１】
本発明によれば、点光源を用いながらも、薄型で狭額縁化が可能であり、かつ、発光面の明るさの均一化も可能なバックライト装置を提供できる。
【発明を実施するための最良の形態】
【００１２】
以下、本発明の実施の形態を図に基づいて詳説する。図１に本発明の１つの実施の形態のバックライト装置を示す。点光源としてのＬＥＤ１は、基板２ａ，２ｂそれぞれにアレイ状に配置されている。基板２ａ，２ｂそれぞれには、図示されていないが配線パターンが施されており、外部より受電して各ＬＥＤ１に給電する。基板２ａ，２ｂにはＦＰＣ（フレキシブルプリント基板）を使用している。基板２ａ，２ｂは紙フェノールやガラエポ、アルミ基板等のハード基板でもよいが、厚さを考慮するとＦＰＣが好適である。
【００１３】
ＬＥＤ１には、表面実装タイプのもので、実装面に対して横向きに光が出力されるサイドビュータイプのものを使用している。多数個のＬＥＤ１をアレイ状に実装した基板２ａ，２ｂは、ＬＥＤ１が互いに内向きになるように向かい合わせに配置し、かつ、ＬＥＤ１各々の発光面１Ａに対向する場所に、導光板３の光入光面３Ａをなす１端面側の表裏の端縁に設置している。尚、この光入光面３Ａの場所は、導光板３が薄い直方体である場合、その長辺側の１端面に設定する。
【００１４】
図２、図３に詳しいように、導光板３の端縁部の表裏に設置されている基板２ａ，２ｂそれぞれに実装されている多数個のＬＥＤ（以下では、基板２ａに実装されているＬＥＤをＬＥＤ１ａ、基板２ｂのＬＥＤをＬＥＤ１ｂと区別する）１ａ，１ｂは、長軸方向の位置が互い違いになるように配置されている。ＬＥＤ１ａ，１ｂを実装した基板２ａ，２ｂは、導光板３の長辺端部に配置されており、各ＬＥＤ１ａ，１ｂから発光した光は導光板３に光入光面３Ａから入光し、導光板３内で全反射を繰り返しながら進行する。導光板３の反射面３Ｂ（図１では導光板３の下面）に施されている反射パターンに光が当たると、光路が曲げられて全反射の条件が崩れて発光面３Ｃから出射する。
【００１５】
バックライト装置は、例えば、８インチ仕様であれば、ＬＥＤ１ａ，１ｂは基板２ａ，２ｂにそれぞれ３５個ずつ、計７０個使用する。この７０個もの多数個のＬＥＤ１ａ，１ｂを導光板３の１端面に配置する際には、その片側から１列に整列して配置することはできない。しかしながら、導光板３の複数端面にＬＥＤを配置すると、配置面は額縁が広くなり、バックライト装置としての装置の外形寸法が大きくなる。
【００１６】
そこで、本実施の形態のバックライト装置では、導光板３の１端面の光入光面３Ａに対向する位置において、多数個のＬＥＤを２枚の基板２ａ，２ｂそれぞれに装置全体で必要とする個数の半分ずつをそれぞれ１列に、そして各長軸が長手方向に並ぶ姿勢で配置し、さらに、一方の基板２ａ上の隣接するＬＥＤ１ａ，１ａ間の間隔の中央位置に他方の基板２ｂ上のＬＥＤ１ｂ，１ｂの中心部が位置する配置している。
【００１７】
以上のように、本実施の形態のバックライト装置によれば、上述の構成にすることで、装置筐体の額縁を広げることなく高輝度のバックライト装置が作製できるようにしている。また、導光板３に対してその１端面側に配置することで給電回路構成も簡素化でき、基板２ａ，２ｂのＬＥＤ１が長軸方向に互い違いになる配置にすることで、ＬＥＤ近傍の発光面に発生しやすい輝度ムラをなくすことが可能となる。
【実施例】
【００１８】
サイドビュータイプのＬＥＤとして、サムソン社製のＳｉｄｅ Ｖｉｅｗ Ｔｙｐｅシリーズ“ＳＬＳＮＮＷＨ４０１ＴＳ”（商品名）を採用した。これを上述のように表裏の基板２ａ，２ｂに３５個ずつアレイ状に配置し、８インチの導光板３の長辺端面の表裏に設置した。これらのＬＥＤ１ａ，１ｂは、素子からの光が直方体の一面からしか放射しないように、放射面以外は光を透過しない樹脂でモールドされた構造になっている。このようなＬＥＤ１ａ，１ｂを採用した場合、図２、図３に示すように、導光板３の発光面３Ｃ（図では上面）側のＬＥＤ１ａから放射された光が導光板３内に入光した時の光と、同様に導光板３の反射面３Ｂ（図では下面）側のＬＥＤ１ｂから放射された光が導光板３内に入光した時の光とが導光板３内で重なり合い、発光面３Ｃでは均一な発光状態になった。
【００１９】
他方、図２において導光板３の上面３Ｃ側のＬＥＤ１ａを実装せず、導光板３の下面３Ｂ側のＬＥＤ１ｂだけにして発光状態を観察したが、図において上面側のＬＥＤ１ａが補っている部分において導光板３にＬＥＤ１ａからの光が直接入光しないため、一定間隔で配置されたＬＥＤ１ｂによる“明”の間に（他と比較して）暗い部分が発生し、発光の均一性が損なわれる状態となることが確認できた。
【図面の簡単な説明】
【００２０】
【図１】本発明の１つの実施の形態のバックライト装置の一部切欠せる斜視図。
【図２】上記実施の形態における基板部分の平面図。
【図３】上記実施の形態における基板部分の断面図。
【符号の説明】
【００２１】
１  ＬＥＤ
２ａ，２ｂ  基板
３  導光板
３Ａ  光入光面
３Ｂ  反射面
３Ｃ  発光面
【図１】
2007080564.tif 000003
【図２】
2007080564.tif 000004
【図３】
2007080564.tif 000005